(57)【要約】【課題】液晶パネルの撓み現象を改善することにより、液晶パネルの全領域に亘って均一な画面品質を維持することができる液晶表示装置を提供すること。【解決手段】 間に介在する液晶層６４により互いに結合されている上部及び下部基板６５、６３を有する液晶パネル６６と、上部基板６５の液晶層に接していない上面に付着する上部偏光板７３と、下部基板６３の液晶層に接していない下面に付着する下部偏光板６２とを備え、上部偏光板７３及び下部偏光板６２が、各々の粘着層６８、６０を備え、上部偏光板７３の粘着層６８及び下部偏光板６２の粘着層６０が、液晶パネル６６の撓み方向に応じた、互いに相異する粘着力をそれぞれ有する。【選択図】 図３
2006154731.tif 000002
【特許請求の範囲】
【請求項１】
間に介在する液晶層により互いに結合されている上部及び下部基板を有する液晶パネルと、
前記上部基板の前記液晶層に接していない上面に付着する上部偏光板と、
前記下部基板の前記液晶層に接していない下面に付着する下部偏光板とを備え、
前記上部偏光板及び前記下部偏光板が、各々の粘着層を備え、
前記上部偏光板の粘着層及び前記下部偏光板の粘着層が、前記液晶パネルの撓み方向に応じた、互いに相異する粘着力をそれぞれ有することを特徴とする液晶表示装置。
【請求項２】
前記液晶パネルが前記下部基板の側に膨らんで撓む場合、前記下部偏光板の粘着層の粘着力が、前記上部偏光板の粘着層の粘着力より大きいことを特徴とする請求項１に記載の液晶表示装置。
【請求項３】
前記液晶パネルが前記下部基板の側に膨らんで撓む場合、
前記上部偏光板の粘着層は、前記液晶パネルと対向する第１面の粘着力が、前記第１面の反対側に位置する第２面の粘着力より小さく、
前記下部偏光板の粘着層は、前記液晶パネルと対向する第３面の粘着力が、前記第３面の反対側に位置する第４面の粘着力より大きいことを特徴とする請求項１に記載の液晶表示装置。
【請求項４】
前記液晶パネルが前記上部基板の側に膨らんで撓む場合、前記上部偏光板の粘着層の粘着力が、前記下部偏光板の粘着層の粘着力より大きいことを特徴とする請求項１に記載の液晶表示装置。
【請求項５】
前記液晶パネルが前記上部基板の側に膨らんで撓む場合、
前記上部偏光板の粘着層は、前記液晶パネルと対向する第１面の粘着力が、前記第１面の反対側に位置する第２面の粘着力より大きく、
前記下部偏光板の粘着層は、前記液晶パネルと対向する第３面の粘着力が、前記第３面の反対側に位置する第４面の粘着力より小さいことを特徴とする請求項１に記載の液晶表示装置。
【請求項６】
間に介在する液晶層により互いに結合されている上部及び下部基板を有する液晶パネルと、
前記上部基板の前記液晶層に接していない上面に付着する上部偏光板と、
前記下部基板の前記液晶層に接していない下面に付着する下部偏光板とを備え、
前記上部偏光板及び前記下部偏光板が、各々の粘着層を備え、
前記上部偏光板の粘着層及び前記下部偏光板の粘着層が、前記液晶パネルの撓み方向に応じた、互いに相異する厚さをそれぞれ有することを特徴とする液晶表示装置。
【請求項７】
前記液晶パネルが前記下部基板の側に膨らんで撓む場合、前記下部偏光板の粘着層の厚さが、前記上部偏光板の粘着層の厚さより大きいことを特徴とする請求項６に記載の液晶表示装置。
【請求項８】
前記液晶パネルが前記上部基板の側に膨らんで撓む場合、前記上部偏光板の粘着層の厚さが、前記下部偏光板の粘着層の厚さより大きいことを特徴とする請求項６に記載の液晶表示装置。
【発明の詳細な説明】
【技術分野】
【０００１】
本発明は、液晶表示装置に関し、より詳細には、液晶パネルの撓み現象を改善することができる液晶表示装置に関する。
【背景技術】
【０００２】
液晶表示装置は、画像表示装置の１つであって、典型的な画像表示装置であるＣＲＴに比べて軽量化、薄型化、小型化及び低消費電力化が実現できる長所がある。液晶表示装置は、ＣＲＴとは異なって、自ら光を出す素子でないので、液晶パネルの他に光源を必要とする。このような液晶表示装置の光源としては、主に蛍光ランプが使われる。また、液晶表示装置の液晶パネルの上、下面にはそれぞれ上部及び下部偏光板が貼り付けられ、蛍光ランプからの光を遮断、または、通過させる。
【０００３】
図１は、従来技術に係る偏光板の構造を示す斜視図である。
【０００４】
図１において、従来技術に係る偏光板１６は、粘着層１１、第１のＴＡＣ（ｔｒｉａｃｅｔｙｌｃｅｌｌｕｌｏｓｅ）フィルム１２、ＰＶＡ（ｐｏｌｙｖｉｎｙｌａｌｃｏｈｏｌ）フィルム１３、第２のＴＡＣフィルム１４、及び離型フィルム１５が順に積層された構造を有する。ＰＶＡフィルム１３は一定の方向に延伸され、２色性染料で染色される。第１及び第２のＴＡＣフィルム１２、１４はＰＶＡフィルム１３の両面に設けられる。粘着層１１は、粘着力を有する高分子材料からなり、偏光板１６を上部または下部基板（図示せず）に付着させる。この粘着層１１は、上部及び下部基板に対して、同じ粘着力を有する。なお、参照符号１０は粘着保護フィルムを表す。
【０００５】
しかし、ＰＶＡフィルム１３のような延伸したフィルムを有する、この従来の偏光板１６は、温度または湿度の変化によってＰＶＡフィルム１３が延伸軸の方向に収縮するとき、一定の方向に撓むことになる。さらに、蛍光ランプから発生する熱によって温度が大きく上昇するため、ランプの上に位置する液晶パネルは、この温度の上昇の影響を受けて一定の方向に撓む。この際、偏光板１６の撓み方向と液晶パネルの撓み方向とが同じである場合、液晶パネルの撓み度は一層大きくなる。
【０００６】
図２は、従来技術に係る液晶パネル及び上、下部偏光板の撓み方向を示す断面図である。図２において、従来技術に係る液晶表示装置が温度または湿度の影響を受けて、液晶パネル３０が一定の方向に撓み、上部及び下部偏光板２０、４０が互いに反対方向に撓む場合を示している。従って、この場合、上部及び下部偏光板２０、４０の中で、いずれか一方の偏光板が、必然的に液晶パネル３０の撓み方向と同じ撓み方向を有することになるので、液晶パネル３０の撓み度はより大きくなる。結局、液晶パネル３０の全領域に亘って、均一な画面品質を維持することが困難になるという問題がある。なお、図２では上部偏光板２０の撓み方向と液晶パネル３０の撓み方向とが同じである場合を示しているが、上述のように、下部偏光板４０の撓み方向も液晶パネル３０の撓み方向と同じになれば（図示せず）、液晶パネル３０の撓み度は一層大きくなる。
【発明の開示】
【発明が解決しようとする課題】
【０００７】
本発明は、上記のような従来技術の問題を解決するためになされたものであって、液晶パネルの撓み現象を改善することにより、液晶パネルの全領域に亘って、均一な画面品質を維持することができる液晶表示装置を提供することを目的とする。
【課題を解決するための手段】
【０００８】
上記の課題を解決するために、本発明の一側面によれば、液晶表示装置が提供される。この液晶表示装置は、間に介在する液晶層により互いに結合されている上部及び下部基板を有する液晶パネルと、前記上部基板の前記液晶層に接していない上面に付着する上部偏光板と、前記下部基板の前記液晶層に接していない下面に付着する下部偏光板とを備え、前記上部偏光板及び前記下部偏光板は、各々の粘着層を備え、前記上部偏光板の粘着層及び前記下部偏光板の粘着層は、前記液晶パネルの撓み方向に応じた、互いに相異する粘着力をそれぞれ有する。
【０００９】
本発明の他の一側面によれば、前記液晶パネルが前記下部基板の側に膨らんで撓む場合、前記下部偏光板の粘着層の粘着力が、前記上部偏光板の粘着層の粘着力より大きい。
【００１０】
本発明の他の一側面によれば、前記液晶パネルが前記下部基板の側に膨らんで撓む場合、前記上部偏光板の粘着層は前記液晶パネルと対向する第１面の粘着力が前記第１面の反対側に位置する第２面の粘着力より小さく、前記下部偏光板の粘着層は前記液晶パネルと対向する第３面の粘着力が前記第３面の反対側に位置する第４面の粘着力より大きい。
【００１１】
本発明の他の一側面によれば、前記液晶パネルが前記上部基板の側に膨らんで撓む場合、前記上部偏光板の粘着層の粘着力が、前記下部偏光板の粘着層の粘着力より大きい。
【００１２】
本発明の他の一側面によれば、前記液晶パネルが前記上部基板の側に膨らんで撓む場合、前記上部偏光板の粘着層は前記液晶パネルと対向する第１面の粘着力が前記第１面の反対側に位置する第２面の粘着力より大きく、前記下部偏光板の粘着層は前記液晶パネルと対向する第３面の粘着力が前記第３面の反対側に位置する第４面の粘着力より小さい。
【００１３】
本発明の他の一側面によれば、間に介在する液晶層により互いに結合されている上部及び下部基板を有する液晶パネルと、前記上部基板の前記液晶層に接していない上面に付着する上部偏光板と、前記下部基板の前記液晶層に接していない下面に付着する下部偏光板とを備え、前記上部偏光板及び前記下部偏光板が、各々の粘着層を備え、前記上部偏光板の粘着層及び前記下部偏光板の粘着層が、前記液晶パネルの撓み方向に応じた、互いに相異する厚さをそれぞれ有する。
【００１４】
本発明の他の一側面によれば、前記液晶パネルが前記下部基板の側に膨らんで撓む場合、前記下部偏光板の粘着層の厚さが、前記上部偏光板の粘着層の厚さより大きい。
【００１５】
本発明の他の一側面によれば、前記液晶パネルが前記上部基板の側に膨らんで撓む場合、前記上部偏光板の粘着層の厚さが、前記下部偏光板の粘着層の厚さより大きい。
【発明の効果】
【００１６】
本発明によれば、上部及び下部偏光板の粘着層の粘着力や厚さを互いに異にすることにより、液晶パネルの撓み方向と上部及び下部偏光板の撓み方向とが互いに反対になるようにすることができる。これにより、液晶パネルの撓みを相殺させることができることになるので、液晶パネルの撓み現象を改善し、パネルの全領域に亘って均一な画面品質を維持することができる。
【発明を実施するための最良の形態】
【００１７】
以下、添付の図面を参照しながら本発明の好ましい実施の形態を説明する。なお、以下の説明及び図面において、同じ参照符号は同じ又は同様の構成要素を示すこととし、よって、同じ又は同様の構成要素に関する説明を省略する。
【００１８】
図３は、本発明の第１の実施の形態に係る液晶表示装置の構成を示す断面図である。
【００１９】
本発明の第１の実施の形態に係る液晶表示装置は、図３に示すように、液晶パネル６６と、上部及び下部偏光板７３、６２とを備える。液晶パネル６６は、上部及び下部基板６５、６３が液晶層６４の介在の下で互いに合着されている構造を有する。上部及び下部偏光板７３、６２はそれぞれ、液晶パネル６６の上面及び下面に付着する。上部偏光板７３は粘着層６８、第１の上部ＴＡＣフィルム６９、上部ＰＶＡフィルム７０、第２の上部ＴＡＣフィルム７１、及び上部離型フィルム７２が順に積層された構造を有する。同様に、下部偏光板６２は粘着層６０、第１の下部ＴＡＣフィルム５９、下部ＰＶＡフィルム５８、第２の下部ＴＡＣフィルム５７、及び下部離型フィルム５６が順に積層された構造を有する。
【００２０】
上部及び下部ＰＶＡフィルム７０、５８は一定の方向に延伸され、２色性染料により染色される。上部及び下部偏光板の粘着層６８、６０は、粘着力を有する高分子材料からなり、上部及び下部偏光板７３、６２をそれぞれ上部及び下部基板６５、６３に付着させる。一方、液晶表示装置が温度または湿度の影響を受ける場合、液晶パネル６６、上部及び下部偏光板７３、６２は一定の方向に撓むことになる。この際、液晶パネル６６の撓み方向に応じて、上部偏光板７３の上部粘着層６８と下部偏光板６２の下部粘着層６０は互いに相異する粘着力を各々有する。
【００２１】
図４は、本発明の第１の実施の形態に係る液晶パネル及び上、下部偏光板の撓み方向を示す断面図である。先ず、液晶パネル６６が下方に膨らんで撓む場合、下部偏光板６２の粘着層６０の粘着力を上部偏光板７３の粘着層６８の粘着力より大きくして、液晶パネル６６に上部及び下部偏光板７３，６２を付着させることにより、図４に示すように、上部及び下部偏光板７３、６２が液晶パネル６６と反対方向に撓むようにすることができる。また、液晶パネル６６が下方に膨らんで撓む場合、上部偏光板７３の粘着層６８においては、液晶パネル６６と対向する第１面の粘着力を第１の上部ＴＡＣフィルム６９と対向する第２面の粘着力より小さくし、下部偏光板６２の粘着層６０においては、液晶パネル６６と対向する第１面の粘着力を第１の下部ＴＡＣフィルム５９と対向する第２面の粘着力より大きくして、液晶パネル６６に上部及び下部偏光板７３，６２を付着させる。これにより、上部及び下部偏光板７３、６２が液晶パネル６６と反対方向に撓むようにすることができる。
【００２２】
そして、図示してはいないが、液晶パネル６６が上方に膨らんで撓む場合、上部偏光板７３の粘着層６８の粘着力を下部偏光板６２の粘着層６０の粘着力より大きくすることにより、上部及び下部偏光板７３、６２が液晶パネル６６と反対方向に撓むようにすることができる。また、液晶パネル６６が上方に膨らんで撓む場合、上部偏光板７３の粘着層６８においては、液晶パネル６６と対向する第１面の粘着力を第１の上部ＴＡＣフィルム６９と対向する第２面の粘着力より大きくし、下部偏光板６２の粘着層６０においては、液晶パネル６６と対向する第１面の粘着力を第１の下部ＴＡＣフィルム５９と対向する第２面の粘着力より小さくする。これにより、上部及び下部偏光板７３、６２が液晶パネル６６と反対方向に撓むようにすることができるので、液晶パネル６６の撓みを相殺させることができる。一方、液晶パネル６６と上部偏光板７３の粘着層６８との間には上部粘着保護フィルム６７を、液晶パネル６６と下部偏光板６２の粘着層６０との間には下部粘着保護フィルム６１を介装させることもできる。
【００２３】
図５は、本発明の第２の実施の形態に係る液晶表示装置の構成を示す断面図である。
【００２４】
本発明の第２の実施の形態に係る液晶表示装置は、本発明の第１の実施の形態に係る液晶表示装置と同じの構成をしている。但し、上部偏光板７３の粘着層６８及び下部偏光板６２の粘着層６０は、液晶パネル６６の撓み方向に応じて、互いに相異する厚さをそれぞれ有する。
【００２５】
先ず、液晶パネル６６が下方に膨らんで撓む場合、図５に示すように、下部偏光板６２の粘着層６０の厚さを上部偏光板の粘着層６８の厚さより大きくすることにより、上部及び下部偏光板７３、６２が液晶パネル６６と反対方向に撓むようにすることができる。
【００２６】
そして、図示してはいないが、液晶パネル６６が上方に膨らんで撓む場合、上部偏光板７３の粘着層６８の厚さを下部偏光板６２の粘着層６０の厚さより大きくすることにより、上部及び下部偏光板７３、６２が液晶パネル６６と反対方向に撓むようにすることができる。これによって、液晶パネル６６の撓みを相殺させることができる。
【００２７】
上記のように、本発明の好ましい実施の形態では、上部及び下部偏光板７３、６２の粘着層６８、６０が異なる粘着力又は厚さを有するようにしたので、液晶パネル６６の撓み方向が上部及び下部偏光板７３、６２の撓み方向とは反対になる。よって、液晶パネル６６の撓みを相殺させて、液晶パネル６６の撓み現象を改善することができる。その結果、液晶パネル６６の全領域に亘って均一な画面品質を維持することができる。
【００２８】
以上では、本発明を特定の好ましい実施の形態に関連して図示し、説明したが、本発明は上記で説明した実施の形態に限定されず、本発明が属する技術分野において通常の知識を有する者であれば特許請求の範囲により定められる本発明の技術的範囲から逸脱することなく、様々に変更できることは言うまでもない。
【図面の簡単な説明】
【００２９】
【図１】従来技術に係る偏光板の構造を示す斜視図である。
【図２】従来技術に係る液晶パネル及び上下部偏光板の撓み方向を示す断面図である。
【図３】本発明の第１の実施の形態に係る液晶表示装置の構成を示す断面図である。
【図４】本発明の第１の実施の形態に係る液晶パネル及び上下部偏光板の撓み方向を示す断面図である。
【図５】本発明の第２の実施の形態に係る液晶表示装置の構成を示す断面図である。
【符号の説明】
【００３０】
１０  粘着保護フィルム
１１  粘着層
１２、１４  ＴＡＣフィルム
１３  ＰＶＡフィルム
１５  離型フィルム
１６，２０，４０  偏光板
３０  液晶パネル
５６、７２    下部及び上部離型フィルム
５７、７１    第２の下部及び上部ＴＡＣフィルム
５８、７０    下部及び上部ＰＶＡフィルム
５９、６９    第１の下部及び上部ＴＡＣフィルム
６０、６８    粘着層
６１、６７    下部及び上部粘着保護フィルム
６２、７３    下部及び上部偏光板
６３、６５    下部及び上部基板
６４    液晶層
６６    液晶パネル
【図１】
2006154731.tif 000003
【図２】
2006154731.tif 000004
【図３】
2006154731.tif 000005
【図４】
2006154731.tif 000006
【図５】
2006154731.tif 000007